(57)【要約】【課題】  除菌灯の故障の疑いが有る故障と無い故障とを識別して判定できる温水装置を提供する。【解決手段】  直流電力を交流電力に変換する動作を実行し、除菌灯５へ交流電力を供給するインバータ部４と、インバータ部４に動作を実行させるための除菌灯ＯＮ信号とインバータ部４に動作を停止させるための除菌灯ＯＦＦ信号とを択一的に出力してインバータ部４の動作の実行及び停止を制御するマイコン３と、インバータ部４の出力電流の有無を検知し、この検知内容を示す電流検知信号Ｓａをマイコン３へ出力する電流検知回路２１と、インバータ部４が動作しているか否かを検知し、この検知内容を示す動作検知信号Ｓｂをマイコン３へ出力する動作検知回路２２と、を備え、マイコン３は、出力中の除菌灯ＯＮ／ＯＦＦ信号と電流検知信号Ｓａと動作検知信号Ｓｂとに基づいて、除菌灯５の故障の疑いが有る故障と無い故障とを識別して判定するよう構成されている。【選択図】  図２
2018136077.tif 000002
【特許請求の範囲】
【請求項１】
湯水の除菌を行うための除菌灯を備えた温水装置であって、
直流電力を交流電力に変換する動作を実行し、前記除菌灯へ交流電力を供給するインバータ部と、
前記インバータ部に動作を実行させるための動作実行信号と前記インバータ部に動作を停止させるための動作停止信号とを択一的に出力して前記インバータ部の動作の実行及び停止を制御する制御部と、
前記インバータ部の出力電流の有無を検知し、この検知内容を示す電流検知信号を前記制御部へ出力する電流検知回路と、
前記インバータ部が動作しているか否かを検知し、この検知内容を示す動作検知信号を前記制御部へ出力する動作検知回路と、
を備え、
前記制御部は、
前記動作実行信号及び前記動作停止信号のうち出力している信号と前記電流検知信号と前記動作検知信号とに基づいて、前記除菌灯の故障の疑いが有る故障と前記除菌灯の故障の疑いが無い故障とを識別して判定するよう構成された、
温水装置。
【請求項２】
前記制御部は、
前記動作実行信号を出力しているときに、前記電流検知信号が前記インバータ部の出力電流が無いことを示す信号であり、かつ前記動作検知信号が前記インバータ部が動作していないことを示す信号である場合に、前記除菌灯の故障の疑いが有る故障であると判定するよう構成された、
請求項１に記載の温水装置。
【請求項３】
前記制御部は、
前記動作実行信号を出力しているときに、前記電流検知信号が前記インバータ部の出力電流が有ることを示す信号であり、かつ前記動作検知信号が前記インバータ部が動作していることを示す信号である場合に、故障が無い正常状態であると判定するとともに、
前記動作停止信号を出力しているときに、前記電流検知信号が前記インバータ部の出力電流が無いことを示す信号であり、かつ前記動作検知信号が前記インバータ部が動作していないことを示す信号である場合に、故障が無い正常状態であると判定するよう構成された、
請求項２に記載の温水装置。
【請求項４】
前記制御部は、
前記正常状態であると判定することなく、かつ、前記除菌灯の故障の疑いが有る故障であると判定しなかった場合に、前記インバータ部が実装されているインバータ基板の故障であると判定するよう構成された、
請求項３に記載の温水装置。
【請求項５】
前記制御部は、
前記動作停止信号を出力しているときに、前記電流検知信号が前記インバータ部の出力電流が有ることを示す信号であり、かつ前記動作検知信号が前記インバータ部が動作していることを示す信号である場合に、前記インバータ部が常時動作状態になる前記インバータ基板の故障であると判定するよう構成された、
請求項４に記載の温水装置。
【請求項６】
前記インバータ部は、
前記動作実行信号の入力にかかわらず、前記制御部から入力される強制停止信号によって動作を停止するよう構成されており、
前記制御部は、
前記インバータ部が常時動作状態になる前記インバータ基板の故障であると判定したときには、前記強制停止信号を前記インバータ部へ出力するよう構成された、
請求項５に記載の温水装置。
【請求項７】
前記制御部から出力される動作停止固定信号を入力することにより、前記動作実行信号及び前記動作停止信号が伝送される経路の信号を前記動作停止信号に固定する動作停止信号固定回路をさらに備え、
前記制御部は、
前記動作停止信号を出力しているときに、前記電流検知信号が前記インバータ部の出力電流が有ることを示す信号である場合に、前記動作停止固定信号を出力し、この後、前記電流検知信号が前記インバータ部の出力電流が無いことを示す信号になった場合には、前記制御部が実装されている制御基板の故障であると判定するよう構成された、
請求項１〜３のいずれかに記載の温水装置。
【請求項８】
前記インバータ部は、
前記動作実行信号の入力にかかわらず、前記制御部から入力される強制停止信号によって動作を停止するよう構成されており、
前記制御部は、
前記動作停止信号を出力しているときに、前記電流検知信号が前記インバータ部の出力電流が有ることを示す信号である場合に、前記動作停止固定信号を出力し、この後も前記電流検知信号が前記インバータ部の出力電流が有ることを示す信号である場合には、前記強制停止信号を前記インバータ部へ出力し、この後、前記電流検知信号が前記インバータ部の出力電流が無いことを示す信号になった場合には、前記インバータ部が実装されているインバータ基板の故障であると判定するよう構成された、
請求項７に記載の温水装置。
【請求項９】
前記制御部は、
前記強制停止信号を前記インバータ部へ出力した後も前記電流検知信号が前記インバータ部の出力電流が有ることを示す信号である場合には、前記電流検知回路の故障であると判定するよう構成された、
請求項８に記載の温水装置。
【発明の詳細な説明】
【技術分野】
【０００１】
本発明は、給湯装置等の温水装置に関する。
【背景技術】
【０００２】
従来の温水装置、例えば、風呂追い焚き機能付きの給湯装置では、浴槽と熱源機との間で浴槽水を循環させる循環流路が形成され、この循環流路の途中にＵＶランプ等の除菌灯を設け、インバータ回路を用いて除菌灯を点灯することによって循環流路を流れる湯水の除菌を行うものがある。インバータ回路には、交流電源電圧を整流平滑して生成された直流電圧が入力される。
【０００３】
特許文献１には、インバータ回路を用いて放電灯を点灯させる装置が記載されている。この装置は、交流電源電圧を整流平滑して直流電圧を生成し、この直流電圧をインバータ回路で交流に変換して放電灯へ供給し、放電灯を点灯させるものである。そして、放電灯に流れる電流を検出し、この電流に基づいて放電灯の異常を検出し、使用者に報知するようになっている。
【先行技術文献】
【特許文献】
【０００４】
【特許文献１】特開昭６１−２４０５９５号公報
【発明の概要】
【発明が解決しようとする課題】
【０００５】
上記従来の温水装置においても、除菌灯に流れる電流を検出し、この電流に基づいて除菌灯の異常を検出するようにした場合には、除菌灯の故障の疑いが有る故障とその疑いが無い故障とを識別することができないという問題がある。
【０００６】
本発明は上記のような課題を解決するためになされたもので、除菌灯の故障の疑いが有る故障と除菌灯の故障の疑いが無い故障とを識別して判定することができる温水装置を提供することを目的としている。
【課題を解決するための手段】
【０００７】
上記目的を達成するために、本発明のある態様に係る温水装置は、湯水の除菌を行うための除菌灯を備えた温水装置であって、直流電力を交流電力に変換する動作を実行し、前記除菌灯へ交流電力を供給するインバータ部と、前記インバータ部に動作を実行させるための動作実行信号と前記インバータ部に動作を停止させるための動作停止信号とを択一的に出力して前記インバータ部の動作の実行及び停止を制御する制御部と、前記インバータ部の出力電流の有無を検知し、この検知内容を示す電流検知信号を前記制御部へ出力する電流検知回路と、前記インバータ部が動作しているか否かを検知し、この検知内容を示す動作検知信号を前記制御部へ出力する動作検知回路と、を備え、前記制御部は、前記動作実行信号及び前記動作停止信号のうち出力している信号と前記電流検知信号と前記動作検知信号とに基づいて、前記除菌灯の故障の疑いが有る故障と前記除菌灯の故障の疑いが無い故障とを識別して判定するよう構成されている。
【０００８】
この構成によれば、電流検知回路と動作検知回路を設け、それらの出力である電流検知信号及び動作検知信号と、動作実行信号及び動作停止信号のうち出力中の信号とに基づいて、除菌灯の故障の疑いが有る故障と除菌灯の故障の疑いが無い故障とを識別して判定することができる。よって、サービスマンは何を交換すればよいかを容易に判断でき、修理時間の短縮を図ることができる。なお、除菌灯の故障の疑いが無い故障としては、例えば、インバータ部が実装されているインバータ基板の故障、制御部が実装されている制御基板の故障、電流検知回路の故障等が考えられる。
【０００９】
前記制御部は、前記動作実行信号を出力しているときに、前記電流検知信号が前記インバータ部の出力電流が無いことを示す信号であり、かつ前記動作検知信号が前記インバータ部が動作していないことを示す信号である場合に、前記除菌灯の故障の疑いが有る故障であると判定するよう構成されていてもよい。
【００１０】
前記制御部は、前記動作実行信号を出力しているときに、前記電流検知信号が前記インバータ部の出力電流が有ることを示す信号であり、かつ前記動作検知信号が前記インバータ部が動作していることを示す信号である場合に、故障が無い正常状態であると判定するとともに、前記動作停止信号を出力しているときに、前記電流検知信号が前記インバータ部の出力電流が無いことを示す信号であり、かつ前記動作検知信号が前記インバータ部が動作していないことを示す信号である場合に、故障が無い正常状態であると判定するよう構成されていてもよい。
【００１１】
前記制御部は、前記正常状態であると判定することなく、かつ、前記除菌灯の故障の疑いが有る故障であると判定しなかった場合に、前記インバータ部が実装されているインバータ基板の故障であると判定するよう構成されていてもよい。この場合、除菌灯の故障の疑いが無い故障として、インバータ基板の故障が例示されている。
【００１２】
前記制御部は、前記動作停止信号を出力しているときに、前記電流検知信号が前記インバータ部の出力電流が有ることを示す信号であり、かつ前記動作検知信号が前記インバータ部が動作していることを示す信号である場合に、前記インバータ部が常時動作状態になる前記インバータ基板の故障であると判定するよう構成されていてもよい。
【００１３】
前記インバータ部は、前記動作実行信号の入力にかかわらず、前記制御部から入力される強制停止信号によって動作を停止するよう構成されており、前記制御部は、前記インバータ部が常時動作状態になる前記インバータ基板の故障であると判定したときには、前記強制停止信号を前記インバータ部へ出力するよう構成されていてもよい。
【００１４】
この構成によれば、インバータ部が強制停止信号を入力して動作を停止することにより、異常な状態でインバータ部が動作し続けて不安全な状況になることを防止できるとともに、除菌灯の寿命の短縮を抑制することができる。
【００１５】
前記制御部から出力される動作停止固定信号を入力することにより、前記動作実行信号及び前記動作停止信号が伝送される経路の信号を前記動作停止信号に固定する動作停止信号固定回路をさらに備え、前記制御部は、前記動作停止信号を出力しているときに、前記電流検知信号が前記インバータ部の出力電流が有ることを示す信号である場合に、前記動作停止固定信号を出力し、この後、前記電流検知信号が前記インバータ部の出力電流が無いことを示す信号になった場合には、前記制御部が実装されている制御基板の故障であると判定するよう構成されていてもよい。この場合、除菌灯の故障の疑いが無い故障として、制御基板の故障が例示されている。
【００１６】
前記インバータ部は、前記動作実行信号の入力にかかわらず、前記制御部から入力される強制停止信号によって動作を停止するよう構成されており、前記制御部は、前記動作停止信号を出力しているときに、前記電流検知信号が前記インバータ部の出力電流が有ることを示す信号である場合に、前記動作停止固定信号を出力し、この後も前記電流検知信号が前記インバータ部の出力電流が有ることを示す信号である場合には、前記強制停止信号を前記インバータ部へ出力し、この後、前記電流検知信号が前記インバータ部の出力電流が無いことを示す信号になった場合には、前記インバータ部が実装されているインバータ基板の故障であると判定するよう構成されていてもよい。この場合、除菌灯の故障の疑いが無い故障として、インバータ基板の故障が例示されている。
【００１７】
この構成によれば、インバータ部が強制停止信号を入力して動作を停止することにより、異常な状態でインバータ部が動作し続けて不安全な状況になることを防止できるとともに、除菌灯の寿命の短縮を抑制することができる。
【００１８】
前記制御部は、前記強制停止信号を前記インバータ部へ出力した後も前記電流検知信号が前記インバータ部の出力電流が有ることを示す信号である場合には、前記電流検知回路の故障であると判定するよう構成されていてもよい。この場合、除菌灯の故障の疑いが無い故障として、電流検知回路の故障が例示されている。
【発明の効果】
【００１９】
本発明は、以上に説明した構成を有し、除菌灯の故障の疑いが有る故障と除菌灯の故障の疑いが無い故障とを識別して判定することができる温水装置を提供することができるという効果を奏する。
【図面の簡単な説明】
【００２０】
【図１】図１は、本発明の実施形態に係る温水装置の主要部の一例を示すブロック図である。
【図２】図２は、制御基板及びインバータ基板の一例を示す回路構成図である。
【図３】図３は、マイコンによる故障判定等の動作の一例を示すフローチャートである。
【図４】図４は、マイコンによる故障判定等の動作の一例を示すフローチャートである。
【図５】図５は、各信号と故障判定内容との関係の一例を示した表である。
【発明を実施するための形態】
【００２１】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００２２】
（実施形態）
図１は、本発明の実施形態に係る温水装置の主要部の一例を示すブロック図である。この温水装置１は、例えば、台所や浴槽等に湯水を供給する給湯機能と風呂の追い焚き機能とを備えた給湯装置である。このような温水装置１（給湯装置）では、浴槽と熱源機との間で浴槽水を循環させる循環流路が形成され、この循環流路の途中にＵＶランプ等の除菌灯を設け、除菌灯を点灯することによって循環流路を流れる湯水の除菌を行うようにしている。図１では、本実施形態に係る温水装置１の主要部のみを示し、浴槽水を循環させる循環流路や、循環流路に設けられた循環用ポンプ、熱交換器等は図示していない。また、温水装置１の他の例としては、貯留タンクを備えた給湯装置において、貯留タンク内やその給湯流路等に除菌灯を設け、除菌灯を点灯することによって貯留タンク内の湯水の除菌を行うように構成されていてもよい。
【００２３】
図１に示すように、温水装置１は、電源回路２、制御部として機能するマイコン（マイクロコントローラ）３、インバータ部４、例えばＵＶランプからなる除菌灯５、ＯＮ（オン）／ＯＦＦ（オフ）回路６、定電圧回路７及びリモコン８等を備えている。マイコン３とリモコン８とは相互に通信可能に接続されている。リモコン８は、温水装置１に各種動作の開始及び停止等を行わせるために使用者等が操作する操作ボタンや、温水装置１の動作状態及び異常等を画面に表示する液晶表示部等を備えている。
【００２４】
電源回路２は電源基板２Ａに実装され、マイコン３は制御基板３Ａに実装されている。また、インバータ部４、ＯＮ／ＯＦＦ回路６、及び定電圧回路７は、インバータ基板４Ａに実装されている。
【００２５】
電源回路２は、外部交流電源（例えば商用交流電源）ＡＣから供給される交流電圧（例えば１００Ｖ）を温水装置１の内部機器で使用されるいくつかの直流電圧（ＤＣ）に変換して出力する。図１では、電源回路２は、ＤＣ１５Ｖを電源ラインＶＳ１５，ＳＧＮＤを介して制御基板３Ａへ出力する。さらに、電源回路２は、ＤＣ１５Ｖを、電源ラインＶＴ１５，ＴＧＮＤを介してインバータ基板４Ａへ出力し、ＤＣ１００Ｖを、電源ラインＶＴ１００，ＴＧＮＤを介してインバータ部４へ出力する。
【００２６】
マイコン３は、例えば、予め定められた時刻になると所定時間の間、除菌灯５を駆動（点灯）するための指令信号として除菌灯ＯＮ信号（動作実行信号）をＯＮ／ＯＦＦ回路６へ出力するようになっている。ＯＮ／ＯＦＦ回路６は、電源ラインＶＴ１５の途中に設けられて、電源ラインＶＴ１５を導通及び遮断する回路であって、トランジスタＱ２（図２参照）等で構成されている。ＯＮ／ＯＦＦ回路６は、除菌灯５を点灯しない間は、マイコン３から除菌灯ＯＦＦ信号（動作停止信号）が入力されて、電源ラインＶＴ１５を遮断し（ＯＦＦ状態）、除菌灯ＯＮ信号が入力されると電源ラインＶＴ１５を導通させる（ＯＮ状態）。
【００２７】
ＯＮ／ＯＦＦ回路６がＯＮ状態になると、電源回路２からのＤＣ１５Ｖが電流検知回路２１（図２参照）及び定電圧回路７へ入力される。定電圧回路７は、例えば三端子レギュレータ等で構成され、ＤＣ１５ＶをＤＣ１２Ｖに降圧して、電源ラインＶＴ１２，ＴＧＮＤを介してインバータ部４へ出力する。よって、ＯＮ／ＯＦＦ回路６がＯＮ状態になると、インバータ部４にその動作用電源電圧（ＤＣ１２Ｖ）が入力されて、インバータ部４が起動し、インバータ部４では直流電圧（ＤＣ１００Ｖ）を交流電圧に変換し、ワイヤーハーネスＷを介して除菌灯５へ供給し、除菌灯５を点灯させる。
【００２８】
ＯＮ／ＯＦＦ回路６がＯＦＦ状態になると、インバータ部４に動作用電源電圧が供給されなくなるので、インバータ部４が停止し、除菌灯５は消灯する。
【００２９】
よって、マイコン３から出力される除菌灯ＯＮ／ＯＦＦ信号によって、除菌灯５の点灯／消灯が制御される。よって、除菌灯ＯＮ信号と除菌灯ＯＦＦ信号とはいずれかが択一的に常時、マイコン３から出力されている。
【００３０】
次に、マイコン３等が実装された制御基板３Ａ及びインバータ部４等が実装されたインバータ基板４Ａの構成について詳しく説明する。図２は、制御基板３Ａ及びインバータ基板４Ａの一例を示す回路構成図である。なお、以下では、電源ラインＶＴ１２，ＴＧＮＤ間の電圧を〔ＶＴ１２〕と記載することがある。また、制御基板３Ａとインバータ基板４Ａとの間の配線は、ワイヤーハーネス（図示せず）によって配線されている。また、図１では、後述の電流検知回路２１、動作検知回路２２、ＯＦＦ信号固定回路２３及びインバータ停止回路２４等の図示が省略されている。
【００３１】
制御基板３Ａには、マイコン３の他、トランジスタＱ１及び不図示の定電圧回路等が備えられている。制御基板３Ａは、電源回路２から電源ラインＶＳ１５，ＳＧＮＤを介して入力されるＤＣ１５Ｖを入力し、このＤＣ１５Ｖがマイコン３と不図示の定電圧回路などに入力される。この不図示の定電圧回路は、例えば三端子レギュレータ等で構成され、ＤＣ１５ＶをＤＣ５Ｖに変換して電源ラインＶＳ５，ＳＧＮＤに出力する。
【００３２】
マイコン３からＯＮ／ＯＦＦ回路６へ除菌灯ＯＮ／ＯＦＦ信号を伝送するためにフォトカプラＰ１及びトランジスタＱ１等が設けられている。ここで、電源ラインＶＳ１５，ＳＧＮＤ間に、フォトカプラＰ１の発光ダイオード及びトランジスタＱ１等が直列に接続されている。トランジスタＱ１のベースはマイコン３に接続され、除菌灯ＯＮ／ＯＦＦ信号が入力される。
【００３３】
フォトカプラＰ１のフォトトランジスタは、ＯＮ／ＯＦＦ回路６のトランジスタＱ２のゲートと、グランドラインＴＧＮＤとの間に接続されている。トランジスタＱ２のＯＮ／ＯＦＦによって電源ラインＶＴ１５が導通／遮断される。
【００３４】
また、電源ラインＶＳ１５，ＳＧＮＤ間に、フォトカプラＰ１及びトランジスタＱ１と並列にトランジスタＱ３が接続され、トランジスタＱ３のベースはマイコン３に接続されている。トランジスタＱ３は、通常時はマイコン３からＬレベルの信号がベースに入力されてＯＦＦ状態であり、ＨレベルのＯＦＦ強制信号（動作停止固定信号）Ｓｃが入力されることによりＯＮ状態になる。このトランジスタＱ３を主としてＯＦＦ信号固定回路（動作停止信号固定回路）２３が構成されている。なお、この例では、トランジスタＱ３は、インバータ基板４Ａに実装されているが、制御基板３Ａに実装されていてもよい。
【００３５】
インバータ部４は、インバータ回路１０、インバータ制御部１１、共振用インダクタＬ１及びコンデンサＣ１，Ｃ２を備えている。コンデンサＣ１は、ワイヤーハーネスＷの電線を介して除菌灯５の２つのフィラメント(図示せず)の間に接続されている。また、コンデンサＣ２は直流遮断用のコンデンサである。
【００３６】
インバータ回路１０は、電源ラインＶＴ１００，ＴＧＮＤ間に直列に接続された２つのスイッチング素子ＳＷ１，ＳＷ２を備えている。インバータ回路１０は、電源ラインＶＴ１００，ＴＧＮＤ間の直流電圧（例えば、ＤＣ１００Ｖ）を入力し、スイッチング素子ＳＷ１，ＳＷ２を交互に導通させることにより、交流電圧を出力する回路である。
【００３７】
インバータ制御部１１は、電源ラインＶＴ１２，ＴＧＮＤに接続され、定電圧回路７から動作用電源電圧〔ＶＴ１２〕としてＤＣ１２Ｖが供給される。このインバータ制御部１１は、インバータ回路１０のスイッチング素子ＳＷ１，ＳＷ２を交互に導通させるようにＯＮ／ＯＦＦを制御するための制御用ＩＣ等で構成され、制御用ＩＣには市販されているものを用いている。この制御用ＩＣは、ある特定の端子（以下「ＣＴ端子」という）がグランドに接続されると、インバータ回路１０の動作を停止させるように構成されている。
【００３８】
前述のＯＦＦ信号固定回路２３のトランジスタＱ３は、マイコン３によって通常時はＯＦＦ状態にされている。このトランジスタＱ３がＯＦＦ状態のときに、マイコン３からＨ（ハイ）レベルの除菌灯ＯＮ信号が出力されることにより、トランジスタＱ１がＯＮし、フォトカプラＰ１のフォトトランジスタがＯＮし、ＯＮ／ＯＦＦ回路６のトランジスタＱ２がＯＮし、定電圧回路７及び電流検知回路２１の電源ラインＶＴ１５にＤＣ１５Ｖが供給される。そして、定電圧回路７からインバータ制御部１１へ動作用電源電圧〔ＶＴ１２〕が供給されると、インバータ制御部１１はインバータ回路１０を動作させて除菌灯５が点灯される。そして、マイコン３からＬ（ロー）レベルの除菌灯ＯＦＦ信号が出力されているときには、トランジスタＱ１はＯＦＦで、ＯＮ／ＯＦＦ回路６のトランジスタＱ２もＯＦＦであり、インバータ制御部１１へ動作用電源電圧〔ＶＴ１２〕は供給されず、インバータ回路１０は動作せずに除菌灯５は消灯状態である。
【００３９】
すなわち、マイコン３から除菌灯ＯＮ信号が出力されているときには、インバータ部４は、直流電力を交流電力に変換する動作を実行し、交流電力を除菌灯５へ供給して除菌灯５を点灯させ、マイコン３から除菌灯ＯＦＦ信号が出力されているときには、インバータ部４は動作を停止し、除菌灯５は消灯する。
【００４０】
一方、マイコン３からＯＦＦ信号固定回路２３のトランジスタＱ３へＯＦＦ強制信号Ｓｃが入力されているときには、トランジスタＱ３がＯＮ状態となる。このときには、マイコン３からトランジスタＱ１へ入力される除菌灯ＯＮ信号及び除菌灯ＯＦＦ信号にかかわらず（すなわち、トランジスタＱ１のＯＮ状態、ＯＦＦ状態にかかわらず）、フォトカプラＰ１のフォトトランジスタはＯＦＦ状態となり、ＯＮ／ＯＦＦ回路６のトランジスタＱ２もＯＦＦ状態となる。よって、インバータ制御部１１へ動作用電源電圧〔ＶＴ１２〕は供給されず、インバータ回路１０は動作せずに除菌灯５は消灯状態となる。すなわち、ＯＦＦ信号固定回路２３は、ＯＦＦ強制信号Ｓｃが入力されることにより、除菌灯ＯＮ信号及び除菌灯ＯＦＦ信号が伝送される経路の信号を除菌灯ＯＦＦ信号に固定する回路である。
【００４１】
そして、本実施形態では、インバータ停止回路２４が設けられている。インバータ停止回路２４は、トランジスタＱ４及びフォトカプラＰ４等で構成されている。フォトカプラＰ４のフォトトランジスタのコレクタがインバータ制御部１１（制御用ＩＣ）のＣＴ端子に接続され、同フォトトランジスタのエミッタがグランドラインＴＧＮＤに接続されている。そして、ＤＣ１５Ｖの電源ラインＶＳ１５，ＳＧＮＤ間に、フォトカプラＰ４の発光ダイオード及びトランジスタＱ４等が直列に接続されている。トランジスタＱ４のベースはマイコン３に接続されている。マイコン３からＨレベルの発振停止信号（強制停止信号）Ｓｄが出力されることにより、トランジスタＱ４がＯＮし、フォトカプラＰ４のフォトトランジスタがＯＮし、インバータ制御部１１（制御用ＩＣ）のＣＴ端子がグランドラインＴＧＮＤに接続されて、インバータ回路１０の動作が停止する。なお、この例では、トランジスタＱ４は、インバータ基板４Ａに実装されているが、制御基板３Ａに実装されていてもよい。
【００４２】
また、電流検知回路２１は、インバータ部４の出力電流を検出するカレントトランスＣＴと、全波整流するダイオードブリッジＤＢと、平滑コンデンサＣ１１と、トランジスタＱ５，Ｑ６と、抵抗Ｒ１１〜Ｒ１４と、電流検知端子ＶＣＴと、フォトカプラＰ２等で構成されている。ここで、トランジスタＱ５及び抵抗Ｒ１３，Ｒ１４が電源ラインＶＴ１５，ＴＧＮＤ間に接続されており、トランジスタＱ５のコレクタが抵抗Ｒ１３を介してトランジスタＱ６のベースに接続されている。そして、トランジスタＱ６及び抵抗Ｒ１２が電源ラインＶＴ１５，ＴＧＮＤ間に接続されており、トランジスタＱ６と抵抗Ｒ１２との接続点の電圧レベルが電流検知端子ＶＣＴに現れる。
【００４３】
この電流検知回路２１では、インバータ回路１０の出力電流の有無を検知している。すなわち、インバータ回路１０の出力電流に応じた直流電圧がトランジスタＱ５のベースに与えられる。よって、インバータ回路１０の出力電流が流れている場合には、トランジスタＱ５がＯＮし、それによってトランジスタＱ６がＯＮすることで、電流検知端子ＶＣＴの電圧レベルはＨレベルになる。一方、インバータ回路１０の出力電流が流れていない場合には、トランジスタＱ５及びトランジスタＱ６がＯＦＦすることで、電流検知端子ＶＣＴの電圧レベルはＬレベルになる。
【００４４】
すなわち、電流検知端子ＶＣＴがＨレベルのときには除菌灯５は点灯状態であり、Ｌレベルのときには除菌灯５は消灯状態である。
【００４５】
そして、電流検知端子ＶＣＴは、フォトカプラＰ２の発光ダイオードを介してグランドラインＴＧＮＤに接続されている。そして、フォトカプラＰ２のフォトトランジスタのエミッタはグランドラインＳＧＮＤに接続され、同フォトトランジスタのコレクタとマイコン３とが配線で接続され、この配線に抵抗を介してＤＣ５Ｖの電源ラインＶＳ５が接続されている。
【００４６】
これにより、除菌灯５が点灯状態であるとき、すなわち電流検知端子ＶＣＴがＨレベルのときには、フォトカプラＰ２のフォトトランジスタがＯＮし、マイコン３へ入力される電流検知信号ＳａはＬレベルになる。
【００４７】
一方、除菌灯５が消灯状態であるとき、すなわち電流検知端子ＶＣＴがＬレベルのときには、フォトカプラＰ２のフォトトランジスタがＯＦＦし、マイコン３へ入力される電流検知信号ＳａはＨレベルになる。
【００４８】
このようにマイコン３は、電流検知信号Ｓａによって除菌灯５の状態を把握することができる。
【００４９】
また、インバータ回路１０が動作しているか否かを検知する動作検知回路２２が設けられている。この動作検知回路２２は、ダイオードＤ１のアノードがコンデンサＣ２を介してインバータ回路１０の一方の出力端子に接続され、ダイオードＤ１のカソードがフォトカプラＰ３の発光ダイオードを介してグランドラインＴＧＮＤに接続されている。そして、フォトカプラＰ３のフォトトランジスタのエミッタはグランドラインＳＧＮＤに接続され、同フォトトランジスタのコレクタとマイコン３とが配線で接続され、この配線に抵抗を介してＤＣ５Ｖの電源ラインＶＳ５が接続されている。
【００５０】
これにより、インバータ回路１０が動作しているときには、フォトカプラＰ３の発光ダイオードに電流が流れて、フォトトランジスタがＯＮし、マイコン３へ入力される動作検知信号ＳｂはＬレベルになる。
【００５１】
一方、インバータ回路１０が動作していないときには、フォトカプラＰ３のフォトトランジスタがＯＦＦし、マイコン３へ入力される動作検知信号ＳｂはＨレベルになる。
【００５２】
次に、温水装置１におけるマイコン３による故障判定等の動作について説明する。図３及び図４は、マイコン３による故障判定等の動作の一例を示すフローチャートである。また、図５は、各信号と故障判定内容との関係の一例を示した表である。
【００５３】
マイコン３は、除菌灯ＯＮ信号を出力しているときには（ステップＳ１でＹ）、電流検知信号ＳａがＬレベルであるか否かを判定する（ステップＳ２）。そして、電流検知信号ＳａがＬレベルであるときには（ステップＳ２でＹ）、動作検知信号ＳｂがＬレベルであるか否かを判定する（ステップＳ３）。ここで、動作検知信号ＳｂがＬレベルであるときには、正常と判定する（ステップＳ４、図５のＮｏ.１）。一方、動作検知信号ＳｂがＬレベルでない、すなわちＨレベルのときには、インバータ基板４Ａの故障と判定し（ステップＳ５、図５のＮｏ.２）、リモコン８にその旨の異常を報知させる（ステップＳ６）。
【００５４】
また、ステップＳ２で、電流検知信号ＳａがＬレベルでない、すなわちＨレベルのときには（ステップＳ２でＮ）、動作検知信号ＳｂがＬレベルであるか否かを判定する（ステップＳ７）。ここで、動作検知信号ＳｂがＬレベルであるときには、インバータ基板４Ａの故障と判定し（ステップＳ８、図５のＮｏ.３）、リモコン８にその旨の異常を報知させる（ステップＳ９）。一方、動作検知信号ＳｂがＬレベルでない、すなわちＨレベルのときには、除菌灯５の故障（例えばフィラメントの断線故障）と判定し（ステップＳ１０、図５のＮｏ.４）、リモコン８にその旨の異常を報知させる（ステップＳ１１）。
【００５５】
上述のステップＳ５（図５のＮｏ.２）の場合、図５のＮｏ.１の正常な場合の電流検知信号Ｓａ及び動作検知信号Ｓｂのレベルを参照すれば、動作検知回路２２のフォトカプラＰ３等の故障が考えられる。また、ステップＳ８（図５のＮｏ.３）の場合には、電流検知回路２１のフォトカプラＰ２等の故障が考えられる。
【００５６】
また、ステップＳ１で、除菌灯ＯＮ信号を出力していないとき、すなわち除菌灯ＯＦＦ信号を出力しているときには（ステップＳ１でＮ）、ステップＳ２１へ進み、電流検知信号ＳａがＬレベルであるか否かを判定する。
【００５７】
ステップＳ２１で、電流検知信号ＳａがＬレベルでないとき、すなわちＨレベルのときには（ステップＳ２１でＮ）、動作検知信号ＳｂがＬレベルであるか否かを判定する（ステップＳ４１）。ここで、動作検知信号ＳｂがＬレベルであるときには、インバータ基板４Ａの故障と判定し（ステップＳ４２、図５のＮｏ.７）、リモコン８にその旨の異常を報知させる（ステップＳ４３）。一方、動作検知信号ＳｂがＬレベルでないとき、すなわちＨレベルのときには、正常と判定する（ステップＳ４４、図５のＮｏ.８）。
【００５８】
上述のステップＳ４２（図５のＮｏ.７）の場合、図５のＮｏ.８の正常な場合の電流検知信号Ｓａ及び動作検知信号Ｓｂのレベルを参照すれば、動作検知回路２２のフォトカプラＰ３等の故障が考えられる。
【００５９】
また、ステップＳ２１で、電流検知信号ＳａがＬレベルであるときには（ステップＳ２１でＹ）、ＯＦＦ強制信号Ｓｃを出力する（ステップＳ２２）。これにより、ＯＮ／ＯＦＦ回路６のＯＦＦ状態が維持される。
【００６０】
次に、電流検知信号ＳａがＬレベルであるか否かを判定する（ステップＳ２３）。
ＯＦＦ強制信号Ｓｃを出力した後、ステップＳ２３で、電流検知信号ＳａがＬレベルのままであると判定したときには（ステップＳ２３でＹ）、発振停止信号Ｓｄを出力する（ステップＳ２４）。これにより、インバータ回路１０は動作を停止した状態になる。
【００６１】
次に、電流検知信号ＳａがＬレベルであるか否かを判定する（ステップＳ２５）。ここで、発振停止信号Ｓｄを出力した後でも、電流検知信号ＳａがＬレベルのままであるときには、電流検知回路２１の故障と判定し（ステップＳ２６、図５のＮｏ.９）、リモコン８にその旨の異常を報知させる（ステップＳ２７）。この場合、サービスマンは、制御基板３Ａとインバータ基板４Ａを接続するワイヤーハーネスのコネクタを抜いて、マイコン３の電流検知信号Ｓａの入力端子の電圧レベルを確認し、電流検知信号ＳａがＬレベルのままであるときには、制御基板３Ａの故障（例えば電流検知信号配線と電源ラインＶＳ５間の断線等）と判断し、制御基板３Ａを新しいものと交換する。一方、電流検知信号ＳａがＨレベルに変化したときには、インバータ基板４Ａの故障（例えばフォトカプラＰ２のフォトトランジスタのコレクタとエミッタ間の短絡等）と判断し、インバータ基板４Ａを新しいものと交換する。
【００６２】
一方、発振停止信号Ｓｄを出力した後、電流検知信号ＳａがＬレベルでない、すなわちＨレベルに変化したときには、インバータ基板４Ａの故障と判定し（ステップＳ２８、図５のＮｏ.１０）、リモコン８にその旨の異常を報知させる（ステップＳ２９）。この場合、ＯＮ／ＯＦＦ回路６のトランジスタＱ２のソース、ドレイン間の短絡によるトランジスタＱ２が常時ＯＮした故障等が考えられる。
【００６３】
また、ＯＦＦ強制信号Ｓｃを出力した後、ステップＳ２３で、電流検知信号ＳａがＬレベルでない、すなわちＨレベルに変化したと判定したときには、制御基板３Ａの故障と判定し（ステップＳ３０、図５のＮｏ.１１）、リモコン８にその旨の異常を報知させる（ステップＳ３１）。この場合、制御基板３ＡのトランジスタＱ１のコレクタ、エミッタ間の短絡によるトランジスタＱ１が常時ＯＮした故障等が考えられる。
【００６４】
なお、図３及び図４では、正常又は故障についての１回の判定が行われるまでの処理について示しているが、ステップＳ４及びステップＳ４４で正常と判定した場合には、ステップＳ１に戻って繰り返し処理が行われる。
【００６５】
また、リモコン８に異常を報知させる際（ステップＳ６，Ｓ９，Ｓ１１，Ｓ２７，Ｓ２９，Ｓ３１，Ｓ４３）には、例えば、リモコン８の画面にエラー番号等を表示させて、サービスマン等が見て故障内容がわかるようにすればよい。すなわち、リモコン８はマイコン３が判定した故障内容を報知する報知手段として機能する。
【００６６】
本実施形態では、電流検知回路２１に加え、動作検知回路２２、ＯＦＦ信号固定回路２３及びインバータ停止回路２４を備えており、ステップＳ１０（図５のＮｏ．４）の除菌灯５の故障（除菌灯５の故障の疑いが有る故障）と、除菌灯５以外の故障（除菌灯５の故障の疑いが無い故障）とを識別して判定することができる。さらに、除菌灯５以外の故障について、インバータ基板４Ａの故障（ステップＳ５，Ｓ８，Ｓ２８，Ｓ４２＝図５のＮｏ．２，Ｎｏ．３，Ｎｏ．１０，Ｎｏ．７）と、制御基板３Ａの故障（ステップＳ３０＝図５のＮｏ．１１）と、電流検知回路２１の故障（ステップＳ２６＝図５のＮｏ．９）とを識別して判定することができる。よって、サービスマンは何を交換すればよいかを容易に判断でき、修理時間の短縮を図ることができる。
【００６７】
また、ステップＳ２４で発振停止信号Ｓｄを出力してインバータ回路１０の動作を停止させることにより、異常な状態でインバータ回路１０が動作し続けて不安全な状況になることを防止できるとともに、除菌灯５の寿命の短縮を抑制することができる。
【００６８】
なお、本実施形態において、ＯＦＦ信号固定回路２３及びインバータ停止回路２４を備えていない構成も可能である。この場合、図示しないが、ステップＳ２１において、電流検知信号ＳａがＬレベルであるときには（ステップＳ２１でＹ）、動作検知信号ＳｂがＬレベルであるか否かを判定するようにし、動作検知信号ＳｂがＬレベルであるときには、マイコン３から除菌灯ＯＦＦ信号を出力しているにもかかわらず、除菌灯５が常時ＯＮした状態（インバータ回路１０が常時動作状態）となるインバータ基板４Ａの故障と判定し（図５のＮｏ.５）、リモコン８にその旨の異常を報知させるようにしてもよい。また、ここで、動作検知信号ＳｂがＬレベルでない、すなわちＨレベルのときには、電流検知回路２１のフォトカプラＰ２等のインバータ基板４Ａの故障と判定し（図５のＮｏ.６）、リモコン８にその旨の異常を報知させるようにしてもよい。この場合、図５のＮｏ.１〜Ｎｏ．８に示すように、正常か、除菌灯５の故障か、インバータ基板４Ａの故障かを識別して判定することができる。また、この場合、図４の例のように、制御基板３Ａ等の故障判定（ステップＳ２６、Ｓ３０）が行われていないが、サービスマンは、リモコン８に表示されるエラー番号等をみて制御基板３Ａの故障も有り得ると判断して修理を行うようにすればよい。
【００６９】
図５のＮｏ.１〜Ｎｏ．８をみればわかるように、電流検知回路２１に加え、動作検知回路２２を備えることにより、Ｎｏ.１とＮｏ.２との識別、Ｎｏ.３とＮｏ.４との識別、Ｎｏ.５とＮｏ.６との識別、及び、Ｎｏ.７とＮｏ.８との識別が可能になる。
【００７０】
また、上述のように図５のＮｏ.５及びＮｏ．６を含むＮｏ.１〜Ｎｏ．８の判定を行うよう構成した場合において、前述のインバータ停止回路２４を設けておいて、図５のＮｏ.５のように、除菌灯５が常時ＯＮした状態となるインバータ基板４Ａの故障と判定した場合に、発振停止信号Ｓｄを出力してインバータ回路１０の動作を停止させるようにしてもよい。これにより、異常な状態でインバータ回路１０が動作し続けて不安全な状況になることを防止できるとともに、除菌灯５の寿命の短縮を抑制することができる。
【００７１】
なお、上記実施形態では、図５のＮｏ．４（ステップＳ１０）における故障判定内容を除菌灯５の故障としているが、これは必ずしも除菌灯５自体が故障していることを意味するものではなく、除菌灯５の故障の疑いが有る故障のことである。そして、図５のＮｏ．４以外の故障（Ｎｏ．２，Ｎｏ．３，Ｎｏ．５〜７，Ｎｏ．９〜１１）は、除菌灯５の故障の疑いが無い故障である。
【００７２】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００７３】
本発明は、除菌灯の故障の疑いが有る故障と除菌灯の故障の疑いが無い故障とを識別して判定することができる温水装置等として有用である。
【符号の説明】
【００７４】
１  温水装置
３  マイコン
３Ａ  制御基板
４  インバータ部
４Ａ  インバータ基板
５  除菌灯
１０  インバータ回路
１１  インバータ制御部
２１  電流検知回路
２２  動作検知回路
２３  ＯＦＦ信号固定回路
２４  インバータ停止回路
【図１】
2018136077.tif 000003
【図２】
2018136077.tif 000004
【図３】
2018136077.tif 000005
【図４】
2018136077.tif 000006
【図５】
2018136077.tif 000007